(57)【要約】【課題】ケーブルを少なくし、かつ、１台の点灯装置での通信問題が他の電源部の通信に影響を与えることを防止可能な連鎖式閃光灯システムを提供する。【解決手段】連鎖式閃光灯システムは、複数の閃光灯１と、閃光灯１ごとに設けられ対応する閃光灯を点灯する複数の電源装置２Ａ１、２Ｂ１および２Ｃ１と、各電源装置２Ａ１、２Ｂ１および２Ｃ１をバス型に接続するＳＴＰ線３と、ＳＴＰ線３を介して電源装置２Ａ１、２Ｂ１および２Ｃ１を制御して複数の閃光灯１を順番に点灯させる管制器４と、を含む。【選択図】図３
2008112628.tif 000002
【特許請求の範囲】
【請求項１】
複数の閃光灯と、
前記閃光灯ごとに設けられ、対応する閃光灯を点灯する複数の電源制御部と、
各電源制御部をバス型に接続するケーブルと、
前記ケーブルを介して前記電源制御部を制御して前記複数の閃光灯を順番に点灯させる管制器と、を含む連鎖式閃光灯システム。
【請求項２】
請求項１に記載の連鎖式閃光灯システムにおいて、
前記ケーブルは、ツイストペア線である、連鎖式閃光灯システム。
【請求項３】
請求項２に記載の連鎖式閃光灯システムにおいて、
前記ケーブルは、シールド付きツイストペア線である、連鎖式閃光灯システム。
【請求項４】
請求項１ないし３のいずれか１項に記載の連鎖式閃光灯システムにおいて、
前記ケーブルと接続された光・電気変換器と、
前記光・電気変換器と前記管制器とを接続する光ケーブルと、をさらに含む連鎖式閃光灯システム。
【発明の詳細な説明】
【技術分野】
【０００１】
本発明は、複数の閃光灯を有する連鎖式閃光灯システムに関する。
【背景技術】
【０００２】
現在、空港では、航空機を滑走路に誘導する誘導灯システムとして、連鎖式閃光灯システムが使用されている。
【０００３】
図８は、従来の連鎖式閃光灯システムの一例を示したブロック図である。図８において、複数の閃光灯（不図示）の点灯を制御する管制器１００ａは、複数の閃光灯のそれぞれに対応する各点灯装置１００ｂと、ケーブル１００ｃによって、スター型配線で結ばれていた。各ケーブル１００ｃは、中継用の端子盤１００ｄによって中継される。
【０００４】
各点灯装置１００ｂは、閃光灯を点灯させる電源制御部であり、閃光灯に電源電圧を供給し、管制器１００ａからケーブル１００ｃを介して閃光タイミング信号（トリガー信号）を受け付けると、自己に対応する閃光灯を点灯させる。
【０００５】
なお、従来の連鎖式閃光灯システムでは、管制器に設けられたアナログロータリスイッチにて、各閃光灯の閃光タイミング信号が生成され、その信号が点灯装置を介して各閃光灯に伝達されていた。このため、従来の管制器は、各閃光灯（点灯装置）と１対１で対応した信号線（スター型配線）を必要とした。図９は、管制器１００に設けられたアナログロータリスイッチ１０９の一例を示した説明図である。
【０００６】
図１０は、一般的なスター型配線を示した説明図である。スター型配線では、各機器１０１ａは、中心となる制御部１０１ｂと、個別の通信線を介して相互に接続する。
【発明の開示】
【発明が解決しようとする課題】
【０００７】
スター型配線は、各閃光灯がそれぞれ異なる方向に配置される場合には適しているが、航空誘導灯のように閃光灯が一直線に配置される場合には、総配線長が長くなるという問題がある。また、スター型配線は、配線数が多くなるという問題がある。総配線長が長く、配線数が多くなると、設置工事において配線作業および接続作業の負担が増大する。
【０００８】
また、図１１に示したように、中継用の端子盤１００ｄが各ケーブル１００ｃを中継する場合、スター型配線では、中継するケーブル１００ｃの本数が多くなり、ケーブル１００ｃを接続するための端子台１０２ａも多くなり、工事負担も大きい。なお、図１１において、図８に示したものと同一のものには同一符号を付してある。
【０００９】
なお、図１２に示したように、直列型配線で、管制器１００ａと各点灯装置１００ｂとを接続することが考えられるが、この場合、複数の点灯装置１００ｂのいずれかで通信問題が発生した際に、それ以降の点灯装置（閃光灯）が通信不能となる。図１２において、図８に示したものと同一のものには同一符号を付してある。
【００１０】
また、図１３に示したように、ループ型配線で、管制器１００ａと各点灯装置１００ｂとを接続することが考えられるが、この場合、複数の点灯装置１００ｂのうちの２台で通信問題が発生した際に、その２台の間の点灯装置（閃光灯）が通信不能となる。図１３において、図８に示したものと同一のものには同一符号を付してある。
【００１１】
本発明の目的は、ケーブルを少なくし、かつ、閃光灯を点灯する１台の電源制御部での通信問題が他の電源制御部の通信に影響を与えることを防止可能な連鎖式閃光灯システムを提供することである。
【課題を解決するための手段】
【００１２】
上記目的を達成するために、本発明の連鎖式閃光灯システムは、複数の閃光灯と、前記閃光灯ごとに設けられ、対応する閃光灯を点灯する複数の電源制御部と、各電源制御部をバス型に接続するケーブルと、前記ケーブルを介して前記電源制御部を制御して前記複数の閃光灯を順番に点灯させる管制器と、を含む。
【００１３】
上記発明によれば、各電源制御部は、ケーブルによってバス型に接続される。
【００１４】
このため、従来のスター型配線の連鎖式閃光灯システムより、ケーブル数および総ケーブル長を、大幅に減らすことができる。また、これに伴い、例えば、ケーブルを接続する接続端子箱の小型化が可能になる。よって、連鎖式閃光灯システムの設置・配線工事を大幅に簡素化できる。
【００１５】
また、バス型の配線のため、１台の電源制御部が故障してその電源制御部がケーブルから切り離されても、管制器は、故障していない電源制御部と通信できる。よって、１台の電源制御部での通信問題が他の電源制御部の通信に影響を与えることを防止できる。
【００１６】
なお、前記ケーブルは、ツイストペア線であることが望ましい。
【００１７】
例えば、図１４に示したように各点灯装置１００ｂ１を光ケーブル１００ｆで接続した際には、以下の問題を生じる。
【００１８】
各点灯装置１００ｂ１が光ケーブル１００ｆで接続された場合、光の分岐が困難であるため、バス型の配線が難しく、また、各点灯装置１００ｂ１は、入力用と出力用の２台の光−電気変換器を必要とするため、コスト増となる。
【００１９】
さらに、光−電気変換器は、約２５０μＳ／台のタイムロスを生じるため、例えば、２９台の閃光灯（点灯装置）を有する連鎖式閃光灯システムでは、始めの閃光灯から最後の閃光灯まで信号が伝わるのに、約１４．５ｍＳのタイムロスが生じることになり問題となる。
【００２０】
上記発明によれば、ケーブルがツイストペア線（導電性ケーブル）であるため、各点灯装置（電源制御部）を光ケーブルで接続した際に生じる上記問題を解決できる。
【００２１】
また、前記ケーブルは、シールド付きツイストペア線であることが望ましい。
【００２２】
上記発明によれば、落雷時にケーブルを伝う誘導雷の被害を抑制でき、また、外部からケーブルへのノイズの飛び込みを抑制でき、また、ケーブルから外部へのノイズの放出を抑制できる。このため、上記発明の連鎖式閃光灯システムを、屋外や電波影響が問題視される環境で使用することが可能になる。
【００２３】
また、前記ケーブルと接続された光・電気変換器と、前記光・電気変換器と前記管制器とを接続する光ケーブルと、をさらに含むことが望ましい。
【００２４】
例えば、管制器がメタルワイヤーケーブルで電源制御部（閃光灯）と接続されている場合、メタルワイヤーケーブルによる電力損失の問題等があり、管制器から電源制御部までの距離を短くしなければならなかった。このため、管制器を電源制御部の近くに設置しなければならず、管制器の設置場所が限定されていた。具体的には、航空用の連鎖式閃光灯システムの場合、閃光灯の近くに設置されるキュービクル内（無人）に管制器を設置せざるを得なかった。
【００２５】
上記発明によれば、管制器が、光ケーブルで光・電気変換器と接続され、光・電気変換器がケーブルを介して各電源制御部と接続されているので、管制器と電源制御部（閃光灯）との距離を離しても、メタルワイヤーケーブルによる電力損失の問題は生じず、管制器と電源制御部（閃光灯）との距離を離すことが可能になる。
【００２６】
このため、例えば、管制器を閃光灯から数ｋｍ離れた電源局舎等に設置可能となる。よって、例えば、閃光灯の異常時に、電源制御部が管制器に信号を送る場合、常時、人が駐在している電源局舎にて、各閃光灯の異常、光ケーブルの切断箇所等の監視ができる。
【発明の効果】
【００２７】
本発明によれば、連鎖式閃光灯システムにおいて、ケーブルを少なくし、かつ、１台の電源制御部での通信問題が他の電源制御部の通信に影響を与えることを防止することが可能となる。
【発明を実施するための最良の形態】
【００２８】
以下、本発明の実施例を図面を参照して説明する。
【００２９】
図１は、本発明の一実施例の連鎖式閃光灯システムを示したブロック図である。
【００３０】
図１において、連鎖式閃光灯システムは、例えば、航空誘導照明システムとして使用され、複数の閃光灯１と、複数の点灯装置２と、導電性ケーブルの一例であるシールド付きツイストペア線（以下「ＳＴＰ線」と称する。）３と、管制器４と、光ケーブル５とを含む。
【００３１】
閃光灯１は、例えば、放電管の一種であるキセノンランプ（フラッシングライト）であり、ランプの両端に電圧が加わっているだけでは放電（発光）せず、トリガー信号を受け付けたときに放電（発光）する。
【００３２】
なお、通常のランプは、一度ＯＮすると点灯を維持し続けるのに対し、キセノンランプは、一度ＯＮすると閃光点灯（一瞬の光）（通常のランプでの点滅（電源のＯＮ／ＯＦＦの繰り返し）とは異なる）する。
【００３３】
複数の閃光灯１は、航空機を滑走路に誘導するために、例えば直線状に配設される。
【００３４】
点灯装置２は、閃光灯１ごとに設けられ、対応する閃光灯１を点灯する。各点灯装置２は、固有のアドレスを有し、後述する図３に示すように、ＳＴＰ線３にて、バス型に接続されている。
【００３５】
図２は、一般的なバス型配線を示した説明図である。バス型配線では、各機器２０１ａおよび制御部２０１ｂは、バス２０１ｃを介して相互に接続する。
【００３６】
図１に戻って、複数の点灯装置２のいずれか（図１では、左端の点灯装置）は、光ケーブル５によって、管制器４と接続されている。
【００３７】
管制器４は、光ケーブル５およびＳＴＰ線３を介して各点灯装置２を制御して、各閃光灯１を順番に点灯させる。
【００３８】
管制器４は、例えばマイコンであり、各閃光灯１に供給する閃光タイミング信号を生成する。なお、閃光タイミング信号には、その閃光タイミング信号の送信先のアドレスが付加されている。
【００３９】
管制器４は、その閃光タイミング信号を、光ケーブル５およびＳＴＰ線３を介して、各点灯装置２に提供する。
【００４０】
各点灯装置２は、自己のアドレスを有する閃光タイミング信号を受け付けると、対応する閃光灯１にトリガー信号を供給して閃光灯１を点灯させる。
【００４１】
図３は、図１に示した連鎖式閃光灯システムの一例を示したブロック図である。図３において、図１に示したものと同一のものには同一符号を付してある。
【００４２】
図３において、点灯装置２Ａは、電源部２Ａ１と、光・電気変換器２Ａ２とを含み、点灯装置２Ｂは、電源部２Ｂ１を含み、点灯装置２Ｃは、電源部２Ｃ１を含み、管制部４Ａは、管制器４と、光・電気変換器４ａとを含む。
【００４３】
電源制御部の一例である電源部２Ａ１、２Ｂ１および２Ｃ１は、ＳＴＰ線３にてバス型に接続されている。
【００４４】
電源部２Ａ１は、閃光灯１Ａに電圧を印加し、また、ＳＴＰ線３を通じて点灯装置２Ａのアドレスを有する閃光タイミング信号を受け付けると、閃光灯１Ａにトリガー信号を供給する。また、電源部２Ａ１は、閃光灯１Ａの異常（例えば、故障）を検出すると、管制器４に異常信号を提供する。
【００４５】
電源部２Ｂ１は、閃光灯１Ｂに電圧を印加し、また、ＳＴＰ線３を通じて点灯装置２Ｂのアドレスを有する閃光タイミング信号を受け付けると、閃光灯１Ｂにトリガー信号を供給する。また、電源部２Ｂ１は、閃光灯１Ｂの異常時（故障時）に、管制器４に異常信号を提供する。
【００４６】
電源部２Ｃ１は、閃光灯１Ｃに電圧を印加し、また、ＳＴＰ線３を通じて点灯装置２Ｃのアドレスを有する閃光タイミング信号を受け付けると、閃光灯１Ｃにトリガー信号を供給する。また、電源部２Ｃ１は、閃光灯１Ｃの異常時（故障時）に、管制器４に異常信号を提供する。
【００４７】
光・電気変換器２Ａ２は、光ケーブル５とＳＴＰ線３とに接続され、光ケーブル５から受け付けた光信号を電気信号に変換してＳＴＰ線３に出力し、ＳＴＰ線３から受け付けた電気信号を光信号に変換して光ケーブル５に出力する。
【００４８】
光・電気変換器４ａは、管制器４と光ケーブル５とに接続され、管制器４から受け付けた電気信号の閃光タイミング信号を光信号の閃光タイミング信号に変換して光ケーブル５に出力し、光ケーブル５から受け付けた光信号を電気信号に変換して管制器４に出力する。
【００４９】
次に、動作を説明する。
【００５０】
管制器４は、点灯装置２Ａのアドレスを有する閃光タイミング信号と、点灯装置２Ｂのアドレスを有する閃光タイミング信号と、点灯装置２Ｃのアドレスを有する閃光タイミング信号と、を順番に生成し、それらの信号を、生成した順に、光・電気変換器４ａに提供する。
【００５１】
光・電気変換器４ａは、閃光タイミング信号を受け付けるたびに、その閃光タイミング信号を光信号に変換し、その光信号を、光ケーブル５を介して光・電気変換器２Ａ２に提供する。
【００５２】
光・電気変換器２Ａ２は、光ケーブル５を介して光信号の閃光タイミング信号を受け付けるたびに、その光信号の閃光タイミング信号を電気信号の閃光タイミング信号に変換し、その閃光タイミング信号をＳＴＰ線３に出力する。
【００５３】
電源部２Ａ１は、ＳＴＰ線３を通じて、点灯装置２Ａのアドレスを有する閃光タイミング信号を受け付けると、閃光灯１Ａにトリガー信号を供給して閃光灯１Ａを点灯する。
【００５４】
また、電源部２Ｂ１は、ＳＴＰ線３を通じて、点灯装置２Ｂのアドレスを有する閃光タイミング信号を受け付けると、閃光灯１Ｂにトリガー信号を供給して閃光灯１Ｂを点灯する。
【００５５】
また、電源部２Ｃ１は、ＳＴＰ線３を通じて、点灯装置２Ｃのアドレスを有する閃光タイミング信号を受け付けると、閃光灯１Ｃにトリガー信号を供給して閃光灯１Ｃを点灯する。
【００５６】
本実施例によれば、各点灯装置２、さらに言えば、各電源部は、ＳＴＰ線（ケーブル）３によってバス型に接続される。
【００５７】
このため、ケーブル数および総ケーブル長を、従来のスター型配線の連鎖式閃光灯システムより大幅に減らすことができる。これに伴い、例えば、ケーブルを接続する接続端子箱４００（図４参照）の小型化が可能になる。よって、連鎖式閃光灯システムの設置・配線工事を大幅に簡素化できる。
【００５８】
なお、電源部２Ａ、２Ｂおよび２Ｃは、図５に示すように、端子台６を介してＳＴＰ線３と接続されてもよいし、図６に示すように、ＳＴＰ線３と直接接続されてもよい。
【００５９】
電源部２Ａ、２Ｂおよび２Ｃが、ＳＴＰ線３と直接接続される場合、電源部の端子台である接続端２０は中継用として兼用され、専用の接続端子箱を必要としなくなる。
【００６０】
また、バス型の配線のため、１台の点灯装置（電源部）が故障してその点灯装置が通信ラインから切り離されても、管制器４は、故障していない点灯装置（電源部）と通信できる。よって、１台の点灯装置（電源部）での通信問題が他の点灯装置（電源部）の通信に影響を与えることを防止できる。このため、航空灯火等の規定等で複数台の不点灯が許されない使用状況にも対応できる。
【００６１】
また、直列型接続の場合には、電源部は、通信用の２つの端子（入力用と出力用）を必要とするが、バス型接続の場合、端子は１つ（１組分）でよい。
【００６２】
また、本実施例では、各電源部をバス型に接続するケーブルとして、ＳＴＰ線が用いられている。
【００６３】
この場合、電源部間を光ケーブルにて接続した時に問題であった光−電気変換器の変換ロスによる通信時間の遅れ、光−電気変換器のコスト高の問題を解決できる。また、落雷時のケーブルを伝う誘導雷の被害を抑制、ケーブルへのノイズの飛び込み、ケーブルからのノイズ発生の問題を防止できる等、外的要因が多い屋外で連鎖式閃光灯システムを使用すること可能となる。
【００６４】
なお、各点灯装置には、通信用のアレスタ等を用いて、雷サージ対策を施すことが望ましい。
【００６５】
また、本実施例では、ＳＴＰ線３と接続された光・電気変換器２Ａ２と、光・電気変換器２Ａ２と管制部４Ａとを接続する光ケーブル５とが含まれる。
【００６６】
この場合、管制器４と閃光灯１との距離を離すことができる。このため、例えば、管制器４を電源局舎等に設置することが可能になる。
【００６７】
また、本実施例では、各閃光灯の閃光タイミング信号をマイコンが生成する。このため、閃光タイミング信号を生成するアナログロータリスイッチを不必要にでき、また、各信号には各閃光灯に対応したアドレスを付加することにより、閃光灯間の通信をバス型配線にすることを可能とした。
【００６８】
以上説明したように、本実施例は、（１）連続３灯以上の不点灯が許されない使用条件に対応可能であり、（２）鉄塔などの高所や海上（橋梁でない）に設置され、配線工事の簡略化が要求される場合にも対応可能であり、（３）屋外に設置され、また雷被害の多い場所に設置される場合にも対応可能であり、（４）管制器を電源局舎に配置でき、（５）さらにコスト低減も図ることが可能である。
【００６９】
以上説明した実施例において、図示した構成は単なる一例であって、本発明はその構成に限定されるものではない。
【００７０】
例えば、図７に示したように、管制器４と各点灯装置２が、直接（光−電気変換器を介さず）、ＳＴＰ線３によってバス型配線で接続されてもよい。なお、図７において、図１に示したものと同一のものには同一符号を付してある。よって、各点灯装置２内の電源部がＳＴＰ線３によってバス型に接続されている。
【図面の簡単な説明】
【００７１】
【図１】本発明の一実施例の連鎖式閃光灯システムを示したブロック図である。
【図２】一般的なバス型配線を示した説明図である。
【図３】図１に示した連鎖式閃光灯システムの一例を示したブロック図である。
【図４】ケーブルを接続する接続端子箱の一例を示した説明図である。
【図５】電源部とＳＴＰ線との接続の一例を示した説明図である。
【図６】電源部とＳＴＰ線との接続の他の例を示した説明図である。
【図７】本発明の他の実施例の連鎖式閃光灯システムを示したブロック図である。
【図８】従来の連鎖式閃光灯システムの一例を示したブロック図である。
【図９】アナログロータリスイッチの一例を示した説明図である。
【図１０】一般的なスター型配線を示した説明図である。
【図１１】従来の中継用の端子盤を示した説明図である。
【図１２】連鎖式閃光灯システムの直列型配線の例を示した説明図である。
【図１３】連鎖式閃光灯システムのループ型配線の例を示した説明図である。
【図１４】各点灯装置が光ケーブルで接続された例を示した説明図である。
【符号の説明】
【００７２】
１、１Ａ〜１Ｃ  閃光灯
２、２Ａ〜２Ｃ  点灯装置
２Ａ１〜２Ｃ１  電源部
２Ａ２  光・電気変換器
２０    電源部の接続端子
３      ＳＴＰ線
４      管制器
４Ａ    管制部
４ａ    光・電気変換器
５      光ケーブル
６      端子台
【図１】
2008112628.tif 000003
【図２】
2008112628.tif 000004
【図３】
2008112628.tif 000005
【図４】
2008112628.tif 000006
【図５】
2008112628.tif 000007
【図６】
2008112628.tif 000008
【図７】
2008112628.tif 000009
【図８】
2008112628.tif 000010
【図９】
2008112628.tif 000011
【図１０】
2008112628.tif 000012
【図１１】
2008112628.tif 000013
【図１２】
2008112628.tif 000014
【図１３】
2008112628.tif 000015
【図１４】
2008112628.tif 000016